(57)【特許請求の範囲】
【請求項１】
平面視が六角形であって、上面の中心部に隆起部が設けられ、下面側には３個の脚部が一体形成されると共に、上面中央に、上端にフックを下端にアンカーを有する吊下金具のアンカーが埋設されている基礎ブロック上に、
基礎ブロックよりも外形が小さく、平面視が六角形であって側面視が略台形盤状で上面側を裾拡がりの傾斜面に形成し中心に連結孔を設けた漁礁ブロックの前記上面に、前記漁礁ブロックの形状と同一形状を有する他の漁礁ブロックの下面を接して連結され、この下面と前記傾斜面との間に、垂直方向における開口幅が３０ｍｍ以上１２０mm以下、中心方向に向かう奥行きが２００ｍｍ以上３００ｍｍ以下である間隙が形成される漁礁ブロック群が、
前記漁礁ブロックの連結孔に前記吊下金具を通すと共に漁礁ブロック群の下面が前記基礎ブロックの隆起部の上面に接するように載置され、連結孔内にコンクリートが流し込まれ硬化されてブロック相互が連結されると共に、漁礁ブロック群の上面から前記吊下金具のフックが露出されてなることを特徴とするアワビ漁礁。
【請求項２】
平面視が六角形であって、下面側には３個の脚部が一体形成されている基礎ブロック上に、
基礎ブロックよりも外形が小さく、平面視が六角形であって側面視が略台形盤状で上面側を裾拡がりの傾斜面に形成し中心に連結孔を設けた漁礁ブロックの前記上面に、前記漁礁ブロックの形状と同一形状を有する他の漁礁ブロックの下面を順次接して４個連結され、この下面と前記傾斜面との間に、垂直方向における開口幅が３０ｍｍ以上１２０mm以下、中心方向に向かう奥行きが２００ｍｍ以上３００ｍｍ以下である間隙が形成される漁礁ブロック群を、
漁礁ブロックの上面が基礎ブロックの上面に垂直になるとともに漁礁ブロックの一部が基礎ブロックの上面より埋設されるように載置固定し、
しかも前記漁礁ブロックの連結孔に、両端にフックを有した吊下金具を通し、連結孔内にコンクリートが流し込まれ硬化されてブロック相互が連結され、漁礁ブロック群の左右の面から前記吊下金具のフックが露出されてなることを特徴とするアワビ漁礁。
【請求項３】
請求項２に記載の、漁礁ブロック群を立てて載置した基礎ブロックが周方向に合計６個連結されてなることを特徴とするアワビ漁礁。
【請求項４】
請求項１に記載の、漁礁ブロック群を載置した基礎ブロックと、請求項２に記載の、漁礁ブロック群を立てて載置した基礎ブロックとを、周方向に合わせて合計６個連結してなることを特徴とするアワビ漁礁。
【発明の詳細な説明】
【０００１】
【発明の属する技術分野】
本発明は、アワビやサザエを養殖するアワビ漁礁に係り、特に、海中に設置し易くアワビの生育に好適なアワビ漁礁に関するものである。
【０００２】
【従来の技術】
アワビ等を養殖するために、海底で魚介類が隠れやすい環境を作るため、アワビ漁礁として従来三脚状のテトラポット等が用いられてきた。
【０００３】
【発明が解決しようとする課題】
しかしながら、上記従来のアワビ漁礁は、魚介類の棲息環境に優れた外形形状とはいえないので、１個あたりのアワビ収容量ひいては養殖効率に一定の限界があった。
また、この収容量を高めるために複雑な形状にすると製作が困難となったり、コスト高となり、全体を大きくすると、重量が相当なものとなるため、製作場から現地へ運び、海底に設置する一連の作業が大変大掛かりとなり労力を要し危険も伴うという問題がある。
【０００４】
本発明は、上記のような問題を解決するためになされたもので、製作が容易でコスト高とならず、しかも海中に設置し易くアワビやサザエを効率良く大量に養殖できるアワビ漁礁を提供することを目的としている。
【０００５】
【問題を解決するための手段】
上記目的を達成するため、本発明のうち請求項１に記載の発明は、平面視が六角形であって、上面の中心部に隆起部が設けられ、下面側には3個の脚部が一体形成されると共に、上面中央に、上端にフックを下端にアンカーを有する吊下金具のアンカーが埋設されている基礎ブロック上に、基礎ブロックよりも外形が小さく、平面視が六角形であって側面視が略台形盤状で上面側を裾拡がりの傾斜面に形成し中心に連結孔を設けた漁礁ブロックの前記上面に、前記漁礁ブロックの形状と同一形状を有する他の漁礁ブロックの下面を接して連結され、この下面と前記傾斜面との間に、垂直方向における開口幅が３０ｍｍ以上１２０mm以下、中心方向に向かう奥行きが２００ｍｍ以上３００ｍｍ以下である間隙が形成される漁礁ブロック群が、前記漁礁ブロックの連結孔に前記吊下金具を通すと共に漁礁ブロック群の下面が前記基礎ブロックの隆起部の上面に接するように載置され、連結孔内にコンクリートが流し込まれ硬化されてブロック相互が連結されると共に、漁礁ブロック群の上面から前記吊下金具のフックが露出されてなることを特徴とするアワビ漁礁である。また、請求項２に記載の発明は、平面視が六角形であって、下面側には３個の脚部が一体形成されている基礎ブロック上に、基礎ブロックよりも外形が小さく、平面視が六角形であって側面視が略台形盤状で上面側を裾拡がりの傾斜面に形成し中心に連結孔を設けた漁礁ブロックの前記上面に、前記漁礁ブロックの形状と同一形状を有する他の漁礁ブロックの下面を順次接して４個連結され、この下面と前記傾斜面との間に、垂直方向における開口幅が３０ｍｍ以上１２０mm以下、中心方向に向かう奥行きが２００ｍｍ以上３００ｍｍ以下である間隙が形成される漁礁ブロック群を、漁礁ブロックの上面が基礎ブロックの上面に垂直になるとともに漁礁ブロックの一部が基礎ブロックの上面より埋設されるように載置固定し、しかも前記漁礁ブロックの連結孔に、両端にフックを有した吊下金具を通し、連結孔内にコンクリートが流し込まれ硬化されてブロック相互が連結され、漁礁ブロック群の左右の面から前記吊下金具のフックが露出されてなることを特徴とするアワビ漁礁である。
【０００６】
【発明の実施の形態】
以下、本発明の実施の形態について、図示例を参照しながら説明する。
図１は、本発明の実施の形態に係るアワビ漁礁の漁礁ブロックを示す側面図、図２は、同漁礁ブロックを示す平面図、図３は、図２のIII−III線に沿った漁礁ブロックを示す断面図、図４は、同漁礁ブロックを示す底面図である。
このアワビ漁礁は、複数の漁礁ブロック１を基礎ブロック２上に載置した状態で海底に沈設する構成となっている。
漁礁ブロック１は、平面視が六角形で側面視が略台形の型枠内に鉄筋を配したうえ、コンクリートを流し込んで硬化させることにより製作される。
この漁礁ブロック１は、上面１ａ側と外側面１ｄとの間が裾拡がりの傾斜面１ｃとなっており、下面１ｂは偏平である。
また、上面１ａの中心と下面１ｂとの間には、連結孔１ｆが開設されており、複数個の漁礁ブロック１を連結するときにコンクリートが流し込まれるものである。
なお、６面体である外側面１ｄの各側面には、サザエの生育用として凹所１ｅをそれぞれ形成してある。
【０００７】
この漁礁ブロック１は、製作の一例として、高さＨ１を２５０ｍｍ、下部側の最大外径Ｗ１を１２００ｍｍ、上部側の外径Ｗ２を７１０ｍｍ、各外側面１ｄの横幅Ｗ３を６００ｍｍとしている。
また、この漁礁ブロック１は、通常のコンクリートの他にポーラスコンクリートを用いて製作してもよい。
このポーラスコンクリートは、透水性が高いことから、海中に設置したときに微生物の成育空間が増し、また、藻類や海藻も付着し易いので、アワビやサザエの育成機能に優れている。
このため、漁礁ブロック１をポーラスコンクリートのみで製作したり、通常のコンクリートと適当な比率で混合し製作してもよい。
【０００８】
図５は、アワビ漁礁の基礎ブロックを示す側面図、図６は、同基礎ブロックを示す平面図、図７は、同基礎ブロックを示す底面図である。
この基礎ブロック２も、平面視が六角形の型枠にアンカー３および吊下金具４を配し、コンクリートを流し込んで製作される。
この基礎ブロック２は、上面２ａ、下面２ｂおよび６面体である外側面２ｃの各側面が偏平になっている。
そして、上面２ａの中心側に隆起部２ｄを設け、下面２ｂ側には３個の脚部２ｅを一体形成してある。
アンカー３と吊下金具４とは、鉄筋や鋼鉄材等で一体的に形成されており、アンカー３が基礎ブロック２に埋設された状態で、上端にフックを有した吊下金具４が垂直に延出している。吊下金具4は漁礁ブロックと基礎ブロックとを一体化する金具としても機能する。５は吊り下げ用のリングであり、３本が基礎ブロック２に埋設されている。リング5は、隣接する基礎ブロックを鎖で連結する際の連結する金具としても使用される。
このような基礎ブロック２は、例えば、高さＨ２が３００ｍｍ、上部側の最大外径Ｗ４が２０００ｍｍ、各外側面１ｄの横幅Ｗ５が１０００ｍｍに製作される。
【０００９】
ところで、これらの漁礁ブロック１および基礎ブロック２は、重ね合わせた状態に一体に製作しておくこともでき、あるいは各ブロックを製作後に養殖場近くへ搬送してから一体的に組み付けて海底の目標位置に沈設することもできる。
図８〜図１０は、漁礁ブロック１を基礎ブロック２上に２個重ねて載置する場合の設置例である。
この場合は、平らな面上に基礎ブロック２を置き、その吊下金具４に各漁礁ブロック１の連結孔１ｆを通して重ねてゆく。すると、基礎ブロック２の隆起部２ｄ上に２つの漁礁ブロック１が積み重ねられる。
つぎに、上段の漁礁ブロック１の連結孔１ｆからコンクリートを流し込み、各連結孔１ｆを満たした状態で硬化させる。
これにより、基礎ブロック２と２つの漁礁ブロック１とが吊下金具４とコンクリートとによって一体化され、図９および図１０に示す如く３層状のアワビ漁礁６が形成される。
【００１０】
このアワビ漁礁６は、３個のブロックを積み重ねたことにより、基礎ブロック２の上面２ａと下段の漁礁ブロック１の下面１ｂとの間、また、この漁礁ブロック１の傾斜面１ｃと上段の漁礁ブロック１の下面１ｂとの間に、間隙Ｇがそれぞれ生じる。
この間隙Ｇは、漁礁ブロック１と基礎ブロック２の寸法によって定まるが、あわびが好んで生息する岩場の隙間に似た、奥行きのある狭い空間が現出できる。より好ましくは、アワビが生息し易い環境等を考慮して縦幅を３０ｍｍ〜１２０ｍｍの範囲とし、奥行きを２００〜３００ｍｍ程度にしている。
このように構成されたアワビ漁礁６は、漁礁ブロック１から露出した吊下金具４のフック４ａおよびリング５を利用し、クレーン等で吊り上げてから海中に沈め、目標とする海底に設置する。
このアワビ漁礁６は、六角形を呈しているのでどの方向からの海流についても流れをあまり妨げることがなく、しかも各間隙Ｇにより外周部に奥深く、表面積が広い２つの凹溝が生じるから、多数のアワビを収容することができる。また、漁礁ブロック１の上面２ａや傾斜面１ｃで、アワビやサザエの食用となる海藻を豊かに繁茂させることもできる。よって、効率の良いアワビ養殖が可能となる。
【００１１】
図１１〜図１３は、漁礁ブロックを基礎ブロック上に４個立てて載置する場合の設置例である。
この場合は、予め両端にフック７ａを有した吊下金具７を用意する。そして、前記漁礁ブロック１を４個立てて相互に重ね、各連結孔１ｆに吊下金具７を挿通する。吊下金具7は、4個の漁礁ブロック1を貫通しており、複数の漁礁ブロックを一体に連結する連結金具の機能も奏する。
この状態で、各連結孔１ｆにコンクリートを流し込み、これを硬化させて４個の漁礁ブロック１を連結しておく。
一方、前記基礎ブロック２を形成する型枠を用意し、この型枠内にコンクリートを流し込んで硬化させることにより、底部２ｆ側に薄い層を形成しておく。
つぎに、フック７ａを利用しクレーンにより漁礁ブロック１群を吊り上げて底部２ｆ内に載置する。この状態で型枠内にコンクリートを流し込み、これを硬化させる。
これにより、基礎ブロック２と漁礁ブロック１群の外側面１ｄとが結合されたアワビ漁礁８が構成される。
【００１２】
このアワビ漁礁８は、４個のブロックを立てて重ねたことにより、前方の漁礁ブロック１の下面１ｂと後方の漁礁ブロック１の傾斜面１ｃとの間に、間隙Ｇがそれぞれ生じる。
この間隙Ｇも、漁礁ブロック１の寸法によって定まり、前記アワビ漁礁６に等しい幅および奥行きになっている。
このように形成されたアワビ漁礁８は、漁礁ブロック１から露出した吊下金具７のフック７ａをクレーンで吊り上げてから海中に沈め、目標とする海底に設置する。
このアワビ漁礁８は、各間隙Ｇにより外周部に奥深く表面積が広い３つの凹溝が生じるから、多数のアワビを収容することができる。また、漁礁ブロック１の外側面１ｄや傾斜面１ｃで、アワビやサザエの食用となる海藻を豊かに繁茂させることもできる。よって、効率の良いアワビ養殖が可能となる。
【００１３】
なお、上記アワビ漁礁６，８は、複数基を結合することで大形のアワビ漁礁を構成することができる。
図１４は、漁礁ブロックを載置した基礎ブロックが連結されたアワビ漁礁を示す平面図である。
このアワビ漁礁は、予め用意した鎖などの連結金具９によりリング５同士を結び、前記アワビ漁礁６と８とを周方向に６基連結するようにしている。
この場合は、クレーンにより３基のアワビ漁礁６を順次海底に沈めるとともに、３基のアワビ漁礁８も順次海底に沈める。この際、各アワビ漁礁６，８の基礎ブロック２相互を接近させ、全体が６角形となるように配置する。
この状態で、基礎ブロック２の外側部相互を連結金具９により強固に連結する。
このように構成されたアワビ漁礁は、各アワビ漁礁６，８の特徴を兼ね備えたものであり、一時期に大量のアワビやサザエを効率良く養殖可能となる。
【００１４】
図１５は、漁礁ブロックを立てて載置した基礎ブロックが連結されたアワビ漁礁を示す平面図である。
このアワビ漁礁は、ポーラスコンクリートにより形成したアワビ漁礁８を周方向に、正六角形を呈するように６基連結している。
このアワビ漁礁８は、前記基礎ブロック２の型枠にポーラスコンクリートを投入して製作する。
そして、クレーンにより６基のアワビ漁礁８を順次海底に沈め、全体が６角形となるように配置してから、基礎ブロック２Ａの外側部相互を連結金具９により強固に連結する。
このように構成されたアワビ漁礁は、各あわび漁礁間に隙間を有しながら六角形を呈するように配置しているのでどの方向からの海流についても流れをあまり妨げることがなく、しかも透水性に優れたポーラスコンクリートにより栄養豊かな環境を作ることができるので、より一層効率の良いアワビ養殖を実現可能となる。
【００１５】
【発明の効果】
以上説明したように、本発明のうち請求項１に記載の発明は、六角形の略台形盤状に形成された漁礁ブロックの上面に、他の漁礁ブロックの下面を接して連結すると、この下面と前記上面との間にあわびやサザエが好む環境の間隙が形成されるので、この間隙に多数のアワビやサザエが養殖することができる。また、漁礁ブロックを多段連結することにより、多数の間隙で大量のアワビやサザエを養殖できる効果がある。ちなみに従来の漁礁と比較したところ、大幅なあわびの繁殖が確認された。
また、請求項２に記載の発明は、漁礁ブロックよりも外形の大きい基礎ブロック上に、漁礁ブロックを１個または複数個重ねて載置しているから、基礎ブロックと漁礁ブロックとの間または漁礁ブロック相互の間隙に多数のアワビやサザエを並べて養殖することができる利点がある。
また、請求項３に記載の発明は、漁礁ブロックよりも外形の大きい基礎ブロック上に、漁礁ブロックを複数個立てて載置し相互を連結しているので、漁礁ブロック相互の間隙に多数のアワビやサザエを並べて養殖することができるうえ、アワビやサザエの食用となる海藻を豊かに繁茂させることができる利点がある。
また、請求項４に記載の発明は、漁礁ブロックを複数個立てて載置した基礎ブロックを、周方向に合計６個連結しているから、波浪に対する安定性に優れ、一時期に大量のアワビやサザエを効率よく養殖することができる利点がある。
また、請求項５に記載の発明は、漁礁ブロックを複数個重ねて載置した複数の基礎ブロックと漁礁ブロックを複数個立てて載置した複数の基礎ブロックとを、任意の組み合わせで周方向に合計６個連結しているから、波浪に対する安定性に優れ、より多くのアワビやサザエを一度に効率よく養殖することができる利点がある。
【図面の簡単な説明】
【図１】本発明の実施の形態に係るアワビ漁礁の漁礁ブロックを示す側面図である。
【図２】同漁礁ブロックを示す平面図である。
【図３】図２のIII−III線に沿った漁礁ブロックを示す断面図である。
【図４】同漁礁ブロックを示す底面図である。
【図５】アワビ漁礁の基礎ブロックを示す側面図である。
【図６】同基礎ブロックを示す平面図である。
【図７】同基礎ブロックを示す底面図である。
【図８】基礎ブロックに漁礁ブロックを重ねて載置したアワビ漁礁を示す平面図である。
【図９】同アワビ漁礁を示す側面図である。
【図１０】同アワビ漁礁を示す他の側面図である。
【図１１】基礎ブロックに漁礁ブロックを立てて載置したアワビ漁礁を示す平面図である。
【図１２】同アワビ漁礁を示す側面図である。
【図１３】同アワビ漁礁を示す他の側面図である。
【図１４】任意の組み合わせの漁礁ブロックを載置した基礎ブロックが連結されたアワビ漁礁を示す平面図である。
【図１５】漁礁ブロックを立てて載置した基礎ブロックが連結されたアワビ漁礁を示す平面図である。
【符号の説明】
１ａ  上面
１ｂ  下面
１ｃ  傾斜面
１ｆ  連結孔
１    漁礁ブロック１
Ｇ    間隙
【図１】
0004237436.tif 000002
【図２】
0004237436.tif 000003
【図３】
0004237436.tif 000004
【図４】
0004237436.tif 000005
【図５】
0004237436.tif 000006
【図６】
0004237436.tif 000007
【図７】
0004237436.tif 000008
【図８】
0004237436.tif 000009
【図９】
0004237436.tif 000010
【図１０】
0004237436.tif 000011
【図１１】
0004237436.tif 000012
【図１２】
0004237436.tif 000013
【図１３】
0004237436.tif 000014
【図１４】
0004237436.tif 000015
【図１５】
0004237436.tif 000016